(57)【要約】【課題】  優れた断熱機能を鉄骨構造から成る建築物において実現し、鉄筋コンクリート建造物に遜色ない強度と重厚感を有して、しかも、簡素な構造で建設コストが少なくて済む、鉄骨建造物における外壁・屋根を築成できる合理的な断熱施工方法を提供すること。【解決手段】  鉄骨建造物において、複数段に亙り型枠帯を順次積み上げて一対の型枠壁を成形する一方、内側型枠壁の一部に配設した有孔板体の通孔にアンカー鉄筋を挿通して床板を接合可能な床板取合部を形成するとともに、前記内側型枠壁に保持ブラケットを固定し、近接する鉄骨梁に固定した後、前記型枠壁間に作出された内部空間にコンクリートを流し込む一方、前記内側型枠壁の最上端においても、天端部に架設した小梁の上に、前記型枠ユニットパネルと同質の屋根型枠板を載置して、この屋根型枠板上にコンクリートを流し込み、更にコンクリート硬化後、上蓋となる断熱屋根板を載置する。【選択図】  図１０
2007162252.tif 000002
【特許請求の範囲】
【請求項１】
鉄骨梁Ｂを組み合わせて成る鉄骨建造物において外壁・屋根の断熱構造を構築するにあたり、
基礎梁Ｐの上方に向けて小舞筋Ａを配筋する一方、この小舞筋Ａを挟んだ両側にそれぞれ長手のスターティングベース２・２を並置して、かつ、各スターティングベース２の凹溝21において、断熱性材から成る型枠ユニットパネル１・１…を嵌設しつゝ列立し、対向する一対の型枠帯１ａ・１ｂを一段成形し、
こうして立設した型枠帯１ａ・１ｂの上端同士にカスガイ状の連結具３・３…を所定間隔で架設することにより両部材を連結保持するとともに、
これらの型枠帯１ａ・１ｂの上端には、更にガイドレール４をそれぞれ配置し、このガイドレール４上に次段の型枠ユニットパネル１・１…を載置していき、こうして複数段に亙り型枠帯１ａ・１ｂを順次積み上げて一対の型枠壁１Ａ・１Ｂを成形する一方、
当該型枠壁１Ａ・１Ｂのうち、内側型枠壁１Ａの一部に有孔板体５を配設して、この有孔板体５の通孔51にアンカー鉄筋Ｑを挿通して床板を接合可能な床板取合部を形成するとともに、
前記内側型枠壁１Ａに保持ブラケット６を固定し、かつ、この保持ブラケット６を近接する鉄骨梁Ｂに固定した後、前記型枠壁１Ａ・１Ｂ間に作出された内部空間にコンクリートを流し込む一方、
前記内側型枠壁１Ａの最上端においても前記有孔板体５を配設して屋根取合部を形成するとともに、天端部に架設した小梁の上に、前記型枠ユニットパネル１と同質の屋根型枠板７を載置して、この屋根型枠板７上にコンクリートを流し込み、
このコンクリートがある程度硬化した後に、上蓋となる断熱屋根板８を載置することによって、鉄骨建造物の外周部を断熱することを特徴とする鉄骨建造物における外壁・屋根の断熱施工方法。
【請求項２】
スターティングベース２を軽溝形断面を有する長手の鋼製部材にすることを特徴とする請求項１記載の鉄骨建造物における外壁・屋根の断熱施工方法。
【請求項３】
鉄骨梁ＢがＨ形鋼であって、このフランジｆに保持ブラケット６を挟持固定することを特徴とする請求項１または２記載の鉄骨建造物における外壁・屋根の断熱施工方法。
【請求項４】
屋根型枠板７を、断熱材を木製または金属製の板体で挟持して作製することを特徴とする請求項１〜３の何れか一つに記載の鉄骨建造物における外壁・屋根の断熱施工方法。
【請求項５】
型枠帯１ａ・１ｂの上端に配置したガイドレール４上に次段の型枠ユニットパネル１・１…を載置するとき、下段の前記型枠帯１ａ・１ｂにおけるパネル側縁接合位置と互い違えて配置することを特徴とする請求項１〜４の何れか一つに記載の鉄骨建造物における外壁・屋根の断熱施工方法。
【請求項６】
有孔板体５の取り付け位置に保持ブラケット６を固定することを特徴とする請求項１〜５の何れか一つに記載の鉄骨建造物における外壁・屋根の断熱施工方法。
【請求項７】
鉄骨梁Ｂをラーメン構造にした鉄骨建造物に用いることを特徴とする請求項１〜６の何れか一つに記載の鉄骨建造物における外壁・屋根の断熱施工方法。
【発明の詳細な説明】
【技術分野】
【０００１】
本発明は、建築技術の改良、更に詳しくは、優れた断熱機能を鉄骨構造から成る建築物において実現し、鉄筋コンクリート建造物に遜色ない強度と重厚感を有して、しかも、簡素な構造で建設コストが少なくて済む、鉄骨建造物における外壁・屋根の断熱施工方法に関するものである。
【背景技術】
【０００２】
周知のとおり、近年の建造物の多くは鉄筋コンクリート製によるものが多く、建物の寿命が長く、耐火性、耐風性、防音性、気密性が高いなどの特徴がある。
【０００３】
ところで、かかる鉄筋コンクリート建造物における断熱対策としては、内断熱方式が主であったために、サッシュ回りや壁体内の結露が生じ易かった。そこで、最近では、コンクリート型枠と断熱材とを兼ね備えた、所謂「断熱性捨て型枠」を使用して構成した鉄筋コンクリート構造が開示されており（例えば、特許文献１参照）、この断熱効果によって結露の発生を防止できるようになった。
【０００４】
しかしながら、かかる鉄筋コンクリート建造物にあっては、何と言っても、工事費が嵩張り、工期も長いという不満がある。また、耐用年数が長いという利点があるものの、建物の評価額が高くなって、固定資産税などの課税負担が大きくなってしまうという不満がある。更にまた、構造上、柱が太くて室内に張り出してしまうことや、壁が主要な構造体の場合もあったりで、間取りの自由度が制約され、将来の模様替えに対応しにくいという不満があった。
【特許文献１】特開２００１−２５４４６５号公報（第５−６頁、図１−２）
【発明の開示】
【発明が解決しようとする課題】
【０００５】
本発明は、従来の鉄筋コンクリート建造物に上記のような問題があったことに鑑みて為されたものであり、その目的とするところは、優れた断熱機能を鉄骨構造から成る建築物において実現し、鉄筋コンクリート建造物に遜色ない強度と重厚感を有して、しかも、簡素な構造で建設コストが少なくて済む、鉄骨建造物における外壁・屋根を築成できる合理的な断熱施工方法を提供することにある。
【課題を解決するための手段】
【０００６】
本発明者が上記課題を解決するために採用した手段を添付図面を参照して説明すれば次のとおりである。
【０００７】
即ち、本発明は、鉄骨梁Ｂを組み合わせて成る鉄骨建造物において外壁・屋根の断熱構造を構築するにあたり、
基礎梁Ｐの上方に向けて小舞筋Ａを配筋する一方、この小舞筋Ａを挟んだ両側にそれぞれ長手のスターティングベース２・２を並置して、かつ、各スターティングベース２の凹溝21において、断熱性材から成る型枠ユニットパネル１・１…を嵌設しつゝ列立し、対向する一対の型枠帯１ａ・１ｂを一段成形し、
こうして立設した型枠帯１ａ・１ｂの上端同士にカスガイ状の連結具３・３…を所定間隔で架設することにより両部材を連結保持するとともに、
これらの型枠帯１ａ・１ｂの上端には、更にガイドレール４をそれぞれ配置し、このガイドレール４上に次段の型枠ユニットパネル１・１…を載置していき、こうして複数段に亙り型枠帯１ａ・１ｂを順次積み上げて一対の型枠壁１Ａ・１Ｂを成形する一方、
当該型枠壁１Ａ・１Ｂのうち、内側型枠壁１Ａの一部に有孔板体５を配設して、この有孔板体５の通孔51にアンカー鉄筋Ｑを挿通して床板を接合可能な床板取合部を形成するとともに、
前記内側型枠壁１Ａに保持ブラケット６を固定し、かつ、この保持ブラケット６を近接する鉄骨梁Ｂに固定した後、前記型枠壁１Ａ・１Ｂ間に作出された内部空間にコンクリートを流し込む一方、
前記内側型枠壁１Ａの最上端においても前記有孔板体５を配設して屋根取合部を形成するとともに、天端部に架設した小梁の上に、前記型枠ユニットパネル１と同質の屋根型枠板７を載置して、この屋根型枠板７上にコンクリートを流し込み、
このコンクリートがある程度硬化した後に、上蓋となる断熱屋根板８を載置することによって、鉄骨建造物の外周部を断熱するという技術的手段を採用した。
【０００８】
また、本発明は、上記課題を解決するために、必要に応じて上記手段に加え、スターティングベース２を軽溝形断面を有する長手の鋼製部材にするという技術的手段を採用することができる。
【０００９】
更にまた、本発明は、上記課題を解決するために、必要に応じて上記手段に加え、鉄骨梁ＢがＨ形鋼であって、このフランジｆに保持ブラケット６を挟持固定するという技術的手段を採用することができる。
【００１０】
更にまた、本発明は、上記課題を解決するために、必要に応じて上記手段に加え、屋根型枠板７を、断熱材を木製または金属製の板体で挟持して作製するという技術的手段を採用することができる。
【００１１】
更にまた、本発明は、上記課題を解決するために、必要に応じて上記手段に加え、型枠帯１ａ・１ｂの上端に配置したガイドレール４上に次段の型枠ユニットパネル１・１…を載置するとき、下段の前記型枠帯１ａ・１ｂにおけるパネル側縁接合位置と互い違えて配置するという技術的手段を採用することができる。
【００１２】
更にまた、本発明は、上記課題を解決するために、必要に応じて上記手段に加え、有孔板体５の取り付け位置に保持ブラケット６を固定するという技術的手段を採用することができる。
【００１３】
更にまた、本発明は、上記課題を解決するために、必要に応じて上記手段に加え、鉄骨梁Ｂをラーメン構造にした鉄骨建造物に用いるという技術的手段を採用することができ
る。
【発明の効果】
【００１４】
本発明にあっては、鉄骨梁を組み合わせて成る鉄骨建造物において、複数段に亙り型枠帯を順次積み上げて一対の型枠壁を成形する一方、内側型枠壁の一部に配設した有孔板体の通孔にアンカー鉄筋を挿通して床板を接合可能な床板取合部を形成するとともに、
前記内側型枠壁に保持ブラケットを固定し、かつ、この保持ブラケットを近接する鉄骨梁に固定した後、前記型枠壁間に作出された内部空間にコンクリートを流し込む一方、
前記内側型枠壁の最上端においても、天端部に架設した小梁の上に、前記型枠ユニットパネルと同質の屋根型枠板を載置して、この屋根型枠板上にコンクリートを流し込み、更にコンクリート硬化後、上蓋となる断熱屋根板を載置することにより、鉄骨建造物の外周部を非常に合理的に断熱することができる。
【００１５】
このように、本発明の施工方法を実施すれば、優れた断熱機能を鉄骨構造から成る建築物において実現し、既存の軽量な鉄骨建造物を有効に利用することができて、工期を短縮して、かつ、基礎工事や主体工事費の軽減を図ることができるとともに、重厚感に富み、鉄筋コンクリート建造物に遜色ない強度をも有する。
【００１６】
また、型枠壁は任意の位置に設置することができ、また、捨て型枠によりそのまま使用できる型枠ユニットパネルを組み立てるだけで良く、鉄筋コンクリート建造物と比較すると、構造上、柱が細くて、数も少なくできるので、間取りの自由度が増し、将来の模様替えもし易くなることから、建築分野における実用的利用価値は頗る高いものがあると云える。
【発明を実施するための最良の形態】
【００１７】
本発明を実施するための最良の形態を具体的に図示した図面に基づいて更に詳細に説明すると、次のとおりである。
【００１８】
本発明の実施形態を図１から図１２に基づいて説明する。図中、符号１で指示するものは型枠ユニットパネルであり、この型枠ユニットパネル１は、断熱性材（例えば、ポリウレタン材料、ポリスチレン材料など）から成り、コンクリート型枠として使用できる強度をも兼ね備えた板状部材である。
【００１９】
また、符号２で指示するものはスターティングベースであり、このスターティングベース２は前記型枠ユニットパネル１を立て置きするための凹溝21を有するガイド部材である。本実施形態では、軽溝形断面を有する長手の鋼製部材を採用する。
【００２０】
更にまた、符号３で指示するものは連結具であり、この連結具３は、カスガイ状に成形された折曲棒材である。
【００２１】
更にまた、符号４で指示するものはガイドレールであり、このガイドレール４は、前記型枠ユニットパネル１の上端に配置する部材であって、略Ｔ字断面を有する長手の鋼製部材を採用する。
【００２２】
更にまた、符号５で指示するものは有孔板体であり、この有孔板体５は、前記型枠ユニットパネル１と同質の断熱性材から成り、アンカー鉄筋Ｑを挿通することができる通孔51が開設された板状部材である。
【００２３】
更にまた、符号６で指示するものは保持ブラケットであり、この保持ブラケット６は、前記型枠ユニットパネル１および近接する鉄骨梁Ｂに固定して、両部材を連結するための部材である。
【００２４】
また、符号７で指示するものは屋根型枠板であり、この屋根板型枠７は、前記型枠ユニットパネル１と同質の断熱性材から成り、本実施形態では、断熱材を木製または金属製の板体で挟持して作製したものを採用することにより、十分な強度を有するので、端太材や支保工が不要となる。
【００２５】
しかして、本発明は、鉄骨梁Ｂを組み合わせて成る鉄骨建造物（本実施形態では、ラーメン構造）において外壁・屋根の断熱構造を構築するものであって、以下に具体的な施工手順について説明する。
【００２６】
〔施工手順〕
まず、図１に示すように、基礎梁Ｐの上方に向けて小舞筋Ａを配筋する。この小舞筋Ａは、Ｄ10鉄筋の２００mm間隔程度の縦横格子でよい。
【００２７】
そして、図２に示すように、この小舞筋Ａを挟んだ両側にそれぞれ長手のスターティングベース２・２を並置して、かつ、各スターティングベース２の凹溝21において、断熱性材から成る型枠ユニットパネル１・１…を嵌設しつゝ列立し、対向する一対の型枠帯１ａ・１ｂを一段成形する。
【００２８】
こうして立設した型枠帯１ａ・１ｂの上端同士にカスガイ状の連結具３・３…を所定間隔で架設することにより両部材を連結保持する（図３および図４参照）。
【００２９】
次いで、これらの型枠帯１ａ・１ｂの上端には、更にガイドレール４をそれぞれ配置して、このガイドレール４上に次段の型枠ユニットパネル１・１…を載置していく。
【００３０】
こうして複数段に亙り型枠帯１ａ・１ｂを順次積み上げて一対の型枠壁１Ａ・１Ｂを成形することができる（図５および図６参照）。このように、前記型枠帯１ａ・１ｂの上端に配置したガイドレール４上に次段の型枠ユニットパネル１・１…を載置するときに、下段の前記型枠帯１ａ・１ｂにおけるパネル側縁接合位置と互い違えて配置することによって、パネルのズレや圧力の集中を防止することができ、強度を高めることができる。
【００３１】
上記のごとく壁体を立ち上げていくとともに、この壁体を鉄骨建造物（の骨組）と接合するためには、以下の構成を必要とする。即ち、前記型枠壁１Ａ・１Ｂのうち、内側型枠壁１Ａの一部に有孔板体５を配設して、この有孔板体５の通孔51にアンカー鉄筋Ｑを挿通して床板を接合可能な床板取合部を形成する。
【００３２】
また、図７および図８に示すように、前記内側型枠壁１Ａに保持ブラケット６を固定する。この際、保持ブラケット６を前記有孔板体５の取り付け位置に固定する。そして、この保持ブラケット６を近接する鉄骨梁Ｂ（大梁）に固定する。本実施形態では、鉄骨梁ＢがＨ形鋼であって、このフランジｆに保持ブラケット６を挟持固定する。
【００３３】
なお、この保持ブラケット６は、図９（ａ）に示すように、片方のフランジｆを挟持するものであっても良いし、また、図９（ｂ）に示すように、上下両方のフランジｆ・ｆを挟持できるようなものであっても良い。然る後、前記型枠壁１Ａ・１Ｂ間に作出された内部空間にコンクリートを流し込むことができる。
【００３４】
しかして、（大梁に該当する）鉄骨梁Ｂの上に、スラブを成形する際に、床デッキプレートを載置した後、前記アンカー鉄筋Ｑを突出せしめて、コンクリートを打設し、硬化せしめることによって壁面と鉄骨躯体とを一体に固定することができるのである（図１０参照）。この際、アンカー鉄筋Ｑは、有効板体５の通孔51の垂直方向に突出するものであっても良いし、４５度方向に２本突出するものであっても良い。
【００３５】
更にまた、図１１に示すように、前記内側型枠壁１Ａの最上端においても前記有孔板体５を配設して屋根取合部を形成するとともに、天端部に架設した小梁の上に、前記型枠ユニットパネル１と同質の屋根型枠板７を載置して、この屋根型枠板７上にコンクリートを流し込む。
【００３６】
そして、このコンクリートがある程度硬化した後に、上蓋となる断熱屋根板８を載置することによって、鉄骨建造物の外周部を断熱することができる。なお、屋根までの建込図はおおよそ図１２に示すように構成される。
【００３７】
また、図１３に示すように、外側型枠壁１Ｂに、庇やバルコニーを適宜に設けることもできる。この際、当該バルコニー等を支持する跳出梁Ｈが建物内から不可避的に外に突出するため、室内から熱が伝導して放熱するおそれがあり、完全な断熱ができない。
【００３８】
そこで、この跳出梁Ｈおよび繋ぎ梁Ｔに発泡ウレタン等の断熱材を吹き付けあるいは巻き付けし、その上に断熱板（例えば、前記型枠ユニットパネル１または屋根型枠板７と同質のもの）を敷設し、その上からバルコニーや手摺壁を現場打ちコンクリート等で成形することもできる。
【００３９】
本発明は概ね上記のように構成されるが、図示の実施形態に限定されるものでは決してなく、「特許請求の範囲」の記載内において種々の変更が可能であって、例えば、保持ブラケット６を固定する鉄骨梁Ｂは、Ｈ形鋼に限らず、リップ形状などであっても良く、本発明の技術的範囲に属する。
【図面の簡単な説明】
【００４０】
【図１】本発明の実施形態の工程を表わす説明正面図である。
【図２】本発明の実施形態の工程を表わす説明正面図である。
【図３】本発明の実施形態の工程を表わす説明正面図である。
【図４】本発明の実施形態の工程を表わす説明斜視図である。
【図５】本発明の実施形態の工程を表わす説明正面図である。
【図６】本発明の実施形態の工程を表わす説明斜視図である。
【図７】本発明の実施形態の工程を表わす説明正面図である。
【図８】本発明の実施形態の取合部を表わす説明斜視図である。
【図９】本発明の実施形態の保持ブラケットを表わす説明正面図である。
【図１０】本発明の実施形態の工程を表わす説明正面図である。
【図１１】本発明の実施形態の工程を表わす説明正面図である。
【図１２】本発明の実施形態の工程を表わす説明斜視図である。
【図１３】本発明の実施形態の変形例を表わす説明正面図である。
【符号の説明】
【００４１】
１    型枠ユニットパネル
１ａ・１ｂ    型枠帯
１Ａ  （内側）型枠壁
１Ｂ  （外側）型枠壁
２    スターティングベース
21    凹溝
３    連結具
４    ガイドレール
５    有孔板体
51    通孔
６    保持ブラケット
７    屋根型枠板
８    断熱屋根板
Ａ    小舞筋
Ｂ    鉄骨梁
ｆ    フランジ
Ｐ    基礎梁
Ｑ    アンカー鉄筋
Ｈ    跳出梁
Ｔ    繋ぎ梁
【図１】
2007162252.tif 000003
【図２】
2007162252.tif 000004
【図３】
2007162252.tif 000005
【図４】
2007162252.tif 000006
【図５】
2007162252.tif 000007
【図６】
2007162252.tif 000008
【図７】
2007162252.tif 000009
【図８】
2007162252.tif 000010
【図９】
2007162252.tif 000011
【図１０】
2007162252.tif 000012
【図１１】
2007162252.tif 000013
【図１２】
2007162252.tif 000014
【図１３】
2007162252.tif 000015